(57)【要約】【課題】  ２つのファンを横並びに取り付けるプロジェクタ用ファンユニットにおいて、様々なサイズのファンに枠体を共用する。【解決手段】  枠体３０を、上下にスライド自在に結合した第１及び第２の可動枠７０、０，８０に分割し、２つの上部桁５１，５１に２分割した上部横長部材５０を第１可動枠７０に、２つの下部桁６１，６１に２分割した下部横長部材６０を第２可動枠に、それぞれ具備させる。２つの上部桁５１，５１を上部筒体５２によって接近離反自在に連結し、２つの下部桁６１，６１を下部筒体６２によって接近離反自在に連結する。一方側ファン１０に対応する取付部３２，３３を第１可動枠７０と下部筒体６２とに設け、他方側ファン２０に対応する取付部３４，３５を、第２可動枠８０と上部筒体３５に設ける。【選択図】        図１
2006301224.tif 000002
【特許請求の範囲】
【請求項１】
ファン本体がファンフレームに取り付けられてなる２つのファンが横並びに設置されているプロジェクタ用ファンユニットであって、
左右の縦長部材とそれらの縦長部材の上端部相互間に亘る上部横長部材及び下端部相互間に亘る下部横長部材とによって矩形に形作られて矩形の通風口を形成している枠体を有し、その枠体が、上下方向に延びる凹条とその溝部にスライド自在に係合された凸条とでなるガイド部を介して上下にスライド自在に結合された第１及び第２の可動枠に分割され、かつ、中間部で２つの上部桁に２分割された上記上部横長部材が第１可動枠に、中間部で２つの下部桁に２分割された上記下部横長部材が第２可動枠に、それぞれ備わり、
２つの上記上部桁がそれらの両方に出退自在に嵌合された上部筒体によって長手方向で接近離反自在に連結され、２つの上記下部桁がそれらの両方に出退自在に嵌合された下部筒体によって長手方向で接近離反自在に連結されていると共に、一方側ファンのファンフレームが取り付けられている取付部が上記第１可動枠と上記下部筒体とに設けられ、他方側ファンのファンフレームが取り付けられている取付部が、上記第２可動枠と上記上部筒体に設けられ、
上記第２可動枠が上記第１可動枠の前側に位置し、かつ、２つの上記ファンが第１可動枠の後側に配備されていて、上記第２可動枠に設けられてプロジェクタの固定ベースに取り付けられる台座部が、上記第２可動枠の下端部から上記第１可動枠の後側にまで延び出ており、
２つの上記ファンが、プロジェクタの光源ランプ設置室に臨む光源冷却用ファンと、その光源ランプ設置室に隣接する制御基板設置室に臨む基板冷却用ファンとに個別に振り分けられていることを特徴とするプロジェクタ用ファンユニット。
【請求項２】
ファン本体がファンフレームに取り付けられてなる２つのファンが横並びに設置されているプロジェクタ用ファンユニットであって、個々の上記ファンのファン本体が臨む通風口を形成する１つの枠体に、上記通風口の縦幅及び横幅を拡縮変更することを可能にする通風口サイズ変更機能と、２つのファンのそれぞれのファンフレームが取り付けられている取付部の位置をファンフレームのサイズに合わせて変更することを可能にする取付位置変更機能とが付加されていることを特徴とするプロジェクタ用ファンユニット。
【請求項３】
左右の縦長部材とそれらの縦長部材の上端部相互間に亘る上部横長部材及び下端部相互間に亘る下部横長部材とによって矩形に形作られて通風口を形成している上記枠体が、上下にスライド自在に結合された第１及び第２の可動枠に分割され、かつ、中間部で２つの上部桁に２分割された上記上部横長部材が第１可動枠に、中間部で２つの下部桁に２分割された上記下部横長部材が第２可動枠に、それぞれ備わっていると共に、２つの上記上部桁に対して変位可能でそれらを接近離反自在に連結する上部連結具と、２つの下部桁に対して変位可能でそれらを接近離反自在に連結する下部連結具とを有していると共に、一方側ファンのファンフレームが取り付けられている取付部が、上記第１可動枠と上記上部連結具又は下部連結具のうちの一方側連結具に設けられ、他方側ファンのファンフレームを取り付けられるための取付部が、上記第２可動枠と上記上部連結具又は下部連結具のうちの他方側連結具に設けられている請求項２に記載したプロジェクタ用ユニット。
【請求項４】
上記上部連結具が、２つの上部桁の両方に出退自在に嵌合された上部筒体でなり、上記下部連結具が、２つの下部桁の両方に出退自在に嵌合された下部筒体でなる請求項３に記載したプロジェクタユニット。
【請求項５】
一方側ファンのファンフレームが取り付けられている上記取付部が、上記第１可動枠と上記下部連結具に設けられ、他方側ファンのファンフレームが取り付けられている上記取付部が、上記第２可動枠と上記上部連結具に設けられている請求項３又は請求項４に記載したプロジェクタユニット。
【請求項６】
第１及び第２の可動枠のうちの一方側可動枠に、プロジェクタの固定ベースに取り付けられる台座部が備わっている請求項３ないし請求項５のいずれか１項に記載したプロジェクタユニット。
【請求項７】
上記第２可動枠が上記第１可動枠の前側に位置し、かつ、２つの上記ファンが第１可動枠の後側に配備されていて、上記台座部が、上記第２可動枠の下端部から上記第１可動枠の後側にまで延び出ている請求項６に記載したプロジェクタユニット。
【請求項８】
２つのファンが、プロジェクタの光源ランプ設置室に臨む光源冷却用ファンと、その光源ランプ設置室に隣接する制御基板設置室に臨む基板冷却用ファンとに個別に振り分けられている請求項２ないし請求項６のいずれか１項に記載したプロジェクタユニット。
【発明の詳細な説明】
【技術分野】
【０００１】
本発明は、プロジェクタ用ファンユニット、特に、ファンの形状ないしサイズの変更に対処するための対策を講じたプロジェクタ用ファンユニットに関する。
【背景技術】
【０００２】
従来、換気扇取付用枠体として、複数の部品を組み合わせて上下方向及び左右方向での伸縮を可能にしたものが提案されていた（たとえば特許文献１参照）。また、ルームエアコンの取付枠についても、その縦幅及び横幅を伸縮させる機能を備えたものが提案されていた（たとえば特許文献２参照）。さらに、電子機器において、冷却ファンのファンケーシングをプリント回路基板に搭載されたＣＰＵの熱伝導ラバーに圧接させる場合に、コイルばねの付勢作用を利用して圧接させるという手段を採用することによって寸法ばらつきを吸収させるという提案もなされている（たとえば特許文献３参照）。
【０００３】
一方、図５には、スクリーンに画像を投映するプロジェクタのファン設置箇所を概略平面図で例示してある。このプロジェクタでは、光源ランプ室１と制御基板設置室２とが相隣接して横並びに位置しており、制御基板設置室２にはさらにレンズ室３が横に並んで配置されている。そして、光源ランプ室１と背部と制御基板設置室２の背部とにそれぞれファン１０，２０が設置されていて、一方側ファン１０の駆動によって発生した冷却風が制御基板設置室２に送られ、他方側ファン２０の駆動によって発生した冷却風が光源ランプ室１にそれぞれ送り込まれた後、図示していないケーシングの排気口を通して排出される。
【０００４】
このプロジェクタにおいて、一方側ファン１０はプロジェクタの固定ベース（シャーシなど）にビス止めなどの適宜手段で取り付けられ、他方側ファン２０は、光源ランプ室１及び制御基板設置室２を形作っているフレームに直接にビス止めなどの適宜手段で取り付けられている。
【特許文献１】実開昭５９−１０３１３８号公報
【特許文献２】実開昭５６−１８８３０号公報
【特許文献３】特開２００１−８５５８５号公報
【発明の開示】
【発明が解決しようとする課題】
【０００５】
図５を参照して説明したプロジェクタでは、サイズの異なるファンを取り付けることが想定されていなかったために、サイズの異なるファンをビス止めする場合には、そのファンのビス止め位置に合うビス孔を有する固定側部材、たとえば固定側ベースやフレームなどに変更する必要があった。
【０００６】
また、上掲の各特許文献によって提案されている技術は、いずれも１つだけのファンを取り付けることを想定したものに過ぎなかった。そのため、ファンの外形サイズの変更に応じて枠体などのサイズを変更してその通風口サイズをファンの外形サイズに合わせるという機能を備えているとしても、ビス止め位置の異なるファンに対して、枠体側のビス止め位置を合わせるという機能を備えていなかったために、取付け可能なファンの種類が限定されてしまっていた。ましてや、図５を参照して説明したようなプロジェクタの２つのファンを横並びに取り付ける場合には、それらのファンの形状ないしサイズの変更に対処することのできるというものではなかった。
【０００７】
本発明は、以上の問題や状況に鑑みてなされたものであり、２つのファンを横並びに取り付けることを前提条件として、ファンのサイズやファン側のビス止め位置などの取付け位置が変更されても、それらの変更に対処し得るプロジェクタ用ファンユニットを提供することを目的とする。
【０００８】
また、本発明は、２つのファンを枠体に取り付けるだけでその枠体の形状や大きさが一定に定まるように工夫して、枠体の形状を大きさを定めるのにビスなどの余分な部品を必要としないプロジェクタ用ファンユニットを提供することを目的とする。
【０００９】
さらに、本発明は、ファンなどの重量を利用することによって、プロジェクタの固定ベースなどに対する設置状態が安定するプロジェクタ用ファンユニットを提供することを目的とする。
【課題を解決するための手段】
【００１０】
本発明に係るプロジェクタ用ファンユニットは、ファン本体がファンフレームに取り付けられてなる２つのファンが横並びに設置されているプロジェクタ用ファンユニットであって、個々の上記ファンのファン本体が臨む通風口を形成する１つの枠体に、上記通風口の縦幅及び横幅を拡縮変更することを可能にする通風口サイズ変更機能と、２つのファンのそれぞれのファンフレームが取り付けられている取付部の位置をファンフレームのサイズに合わせて変更することを可能にする取付位置変更機能とが付加されている。
【００１１】
このプロジェクタ用ファンユニットによれば、枠体に具備された通風口サイズ変更機能によって、異なるサイズのファンに合わせて枠体の通風口のサイズを適切に変更することが可能になり、そうすることによって良好な送風機能を発揮させることが可能になる。また、枠体に具備された取付位置変更機能によって、２つのファンのファンフレームに備わっているビス挿通孔などの取付け位置に合わせて枠体側の取付部の位置を変更することが可能になる。そのため、異なるサイズのファンを枠体に適切に取り付けることが可能になる。
【００１２】
このプロジェクタ用ファンユニットの枠体に付加される通風口サイズ変更機能や取付位置変更機能は次の構成を採用することによって発揮させることができる。
【００１３】
すなわち、左右の縦長部材とそれらの縦長部材の上端部相互間に亘る上部横長部材及び下端部相互間に亘る下部横長部材とによって矩形に形作られて通風口を形成している上記枠体が、上下にスライド自在に結合された第１及び第２の可動枠に分割され、かつ、中間部で２つの上部桁に２分割された上記上部横長部材が第１可動枠に、中間部で２つの下部桁に２分割された上記下部横長部材が第２可動枠に、それぞれ備わっていると共に、２つの上記上部桁に対して変位可能でそれらを接近離反自在に連結する上部連結具と、２つの下部桁に対して変位可能でそれらを接近離反自在に連結する下部連結具とを有していると共に、一方側ファンのファンフレームが取り付けられている取付部が、上記第１可動枠と上記上部連結具又は下部連結具のうちの一方側連結具に設けられ、他方側ファンのファンフレームを取り付けられるための取付部が、上記第２可動枠と上記上部連結具又は下部連結具のうちの他方側連結具に設けられている、という構成を採用することによって枠体に付加される通風口サイズ変更機能や取付位置変更機能を発揮させることが可能である。たとえば、第１可動枠を第２可動枠に対して上下にスライドさせると通風口の縦幅が拡縮され、２つの上部桁同士及び２つの下部桁同士をそれぞれ接近離反させると通風口の横幅が拡縮する。また、一方側連結具を変位させると、一方側ファンに対する取付部の間隔が変わり、他方側連結具を変位させると他方側ファンに対する取付部の間隔が変わる。したがって、これらの作用を活用することにより、異なるサイズのファンを２つ横並びにして取り付けることが可能である。
【００１４】
本発明では、上記上部連結具が、２つの上部桁の両方に出退自在に嵌合された上部筒体でなり、上記下部連結具が、２つの下部桁の両方に出退自在に嵌合された下部筒体でなるという構成を採用することが望ましい。これによれば、２つの上部桁を上部筒体の両側から嵌合し、２つの下部桁を下部筒体の両側から嵌合することによって第１及び第２の可動枠が形作られる。また、２つの上部桁を上部筒体に対して出退させ、２つの下部桁を下部筒体に対して出退させるだけで通風口の横幅を変更することができる。
【００１５】
本発明では、一方側ファンのファンフレームが取り付けられている上記取付部が、上記第１可動枠と上記下部連結具に設けられ、他方側ファンのファンフレームが取り付けられている上記取付部が、上記第２可動枠と上記上部連結具に設けられている、という構成を採用することが可能であり、これによれば、下部連結具を変位させると、一方側ファンに対する取付部の間隔が変わり、上部連結具を変位させると他方側ファンに対する取付部の間隔が変わる。したがって、これらの作用を活用することにより、異なるサイズのファンを２つ横並びにして取り付けることが可能である。
【００１６】
本発明では、第１及び第２の可動枠のうちの一方側可動枠に、プロジェクタの固定ベースに取り付けられる台座部が備わっている、という構成を採用することが可能である。この場合に、上記第２可動枠が上記第１可動枠の前側に位置し、かつ、２つの上記ファンが第１可動枠の後側に配備されていて、上記台座部が、上記第２可動枠の下端部から上記第１可動枠の後側にまで延び出ている、という構成を採用することが望ましい。この構成であれば、２つのファンの重量が台座部によって主に受け止められ、枠体に前倒れ荷重や後倒れ荷重が加わりにくくなるためにファンユニットの設置状態が安定する。
【００１７】
本発明では、２つのファンが、プロジェクタの光源ランプ設置室に臨む光源冷却用ファンと、その光源ランプ設置室に隣接する制御基板設置室に臨む基板冷却用ファンとに個別に振り分けられていることが望ましい。これによれば、一方側ファンの駆動によって光源ランプ室に冷却風が送り込まれ、他方側ファンの駆動によって制御基板設置室に冷却風が送り込まれる。
【００１８】
本発明に係るプロジェクタ用ファンユニットは、ファン本体がファンフレームに取り付けられてなる２つのファンが横並びに設置されているプロジェクタ用ファンユニットであって、左右の縦長部材とそれらの縦長部材の上端部相互間に亘る上部横長部材及び下端部相互間に判る下部横長部材とによって矩形に形作られて矩形の通風口を形成している枠体を有し、その枠体が、上下方向に延びる凹条とその溝部にスライド自在に係合された凸条とでなるガイド部を介して上下にスライド自在に結合された第１及び第２の可動枠に分割され、かつ、中間部で２つの上部桁に２分割された上記上部横長部材が第１可動枠に、中間部で２つの下部桁に２分割された上記下部横長部材が第２可動枠に、それぞれ備わり、２つの上記上部桁がそれらの両方に出退自在に嵌合された上部筒体によって長手方向で接近離反自在に連結され、２つの上記下部桁がそれらの両方に出退自在に嵌合された下部筒体によって長手方向で接近離反自在に連結されていると共に、一方側ファンのファンフレームが取り付けられている取付部が上記第１可動枠と上記下部筒体とに設けられ、他方側ファンのファンフレームが取り付けられている取付部が、上記第２可動枠と上記上部筒体に設けられ、上記第２可動枠が上記第１可動枠の前側に位置し、かつ、２つの上記ファンが第１可動枠の後側に配備されていて、上記第２可動枠に設けられてプロジェクタの固定ベースに取り付けられる台座部が、上記第２可動枠の下端部から上記第１可動枠の後側にまで延び出ており、２つの上記ファンが、プロジェクタの光源ランプ設置室に臨む光源冷却用ファンと、その光源ランプ設置室に隣接する制御基板設置室に臨む基板冷却用ファンとに個別に振り分けられている、という構成を採用することによっていっそう具体化される。この発明の作用などについては後述する実施形態を参照して詳細に説明する。
【発明の効果】
【００１９】
本発明によれば、２つのファンが横並びに取り付けられるプロジェクタ用ファンユニットにおいて、ファンのサイズやファン側のビス止め位置などの取付け位置が変更されても、それらの変更に応じて通風口のサイズやそれぞれのファンの取付部の位置を個別に変更することができる。そのため、様々なサイズのファンに対して１種類の枠体を共用することが可能になってコストが低減される。また、ファンのサイズに見合うサイズの通風口を枠体が形作るために、光源ランプ設置室や制御基板設置室の冷却効率が損なわれることがなくなり、プロジェクタによる投映画像品質などが良好に保たれるという利点もある。
【００２０】
また、２つのファンを枠体に取り付けることによって枠体の形状や大きさが一定に定まるように工夫されているので、ビスなどの余分な部品を用いて枠体の形状や大きさを定める必要がなくなり、そのこともコスト低減に役立つようになる。さらに、ファンなどの重量を台座部によって主に受け止めさせることが可能であるので、そうすることによりプロジェクタの固定ベースなどに対する当該ファンユニットの設置状態が安定する。そのため、徒に多くのビスを用いてファンユニットを固定する必要がなくなり、そのこともコスト低減に役立つという効果が得られる。
【発明を実施するための最良の形態】
【００２１】
図１は本発明の実施形態に係るプロジェクタ用ファンユニットの概略斜視図、図２は同ファンユニットの要部の平面図、図３は同ファンユニットの他の要部の平面図、図４はファンフレーム１２，２２の正面図である。
【００２２】
図１のファンユニットにおいて、矩形の枠体３０は、縦柱状の左右の縦長部材４０，４０とそれらの縦長部材４０，４０の上端部相互間に亘る横桟状の上部横長部材５０及び下端部相互間に亘る下部横長部材６０とによって矩形に形作られていて、左右の縦長部材４０，４０と上下の各横長部材５０，６０とによって囲まれる開口が矩形の通風口３１を形成している。また、枠体３０は、前側の第１可動枠７０と後側の第２可動枠８０とに２分割されていて、枠体３０の左側の縦長部材４０を形成している第１可動枠７０の左側の縦長部材７１と第２可動枠８０の左側の各縦長部材８１とは、図２に示したように、第１可動枠７０側の縦長部材７１に形成された蟻溝形の凹条７２と、第２可動枠８０側の縦長部材８１に形成されたＴ字形断面形状を有して上記凹所７２にスライド自在に係合された凸条８２とでなるガイド部７３を介して上下にスライド自在に結合されている。枠体３０の右側の縦長部材４０を形成している第１可動枠７０の右側の縦長部材７１と第２可動枠８０の右側の各縦長部材８１とも同様のガイド部７３を介して上下にスライド自在に結合されている（図１参照）。そして、上記した上部横長部材５０が第１可動枠７０の左右の縦長部材７１，７１の上端部相互間に横架され、下部横長部材６０が第２可動枠７０の左右の縦長部材７１，７１の下端部相互間に横架されている。
【００２３】
次に、図１のように、上部横長部材５０は、その長手方向の中間部で２つの上部桁５１，５１に２分割されていると共に、下部横長部材６０も同様にその長手方向の中間部で２つの下部桁６１，６１に２分割されている。そして、２つの上部桁５１，５１がそれらの両方に出退自在に嵌合された上部筒体５２にスライド自在に嵌合されて長手方向で接近離反自在に連結されているのに対し、２つの下部桁６１，６１がそれらの両方に出退自在に嵌合された下部筒体６２にスライド自在に嵌合されて長手方向で接近離反自在に連結されている。なお、図３には、２つの上部桁５１，５１が両側からスライド自在に嵌合されている上部筒体５２を示してある。
【００２４】
枠体３０が以上の構成を備えていると、枠体３０に通風口サイズ変更機能や取付位置変更機能が付加される。すなわち、左右２箇所のガイド部７３，７３を介して第１可動枠７０と第２可動枠８０とを図１矢印Ａのように相対的に上下にスライドさせると通風口３１の縦幅が拡縮される。また、２つの上部桁５１，５１同士及び２つの下部桁６１，６１同士を上下の各筒体５２，６２を介して図１矢印Ｂのようにそれぞれ接近離反させると通風口３１の横幅が拡縮する。したがって、このような作用を活用することによって、ファン１０，２０のサイズの変化に対処させることが可能になり、しかも、通風口３１の広さをファン１０，２０のファン本体１１，２１の大きさに見合って適切に増減調節することが可能になる。
【００２５】
ファン１０，２０は図４に示したファンフレーム１２，２２を備えている。このファンフレーム１２，２２は略矩形に形成されていて、その４つのコーナ部のそれぞれに取付けビス挿通孔１３，２３を備えている。そして、ファンフレーム１２，２２の外形サイズはファン１０，２０のサイズに応じて異なり、ファンフレーム１２，２２に備わっている相隣接する２つの取付けビス挿通孔１３，２３の縦間隔Ｈや横間隔Ｗは、ファンフレーム１２，２２の外形サイズに応じて異なっている。また、このファンフレーム１２，２２は、対角方向に位置する２つの取付けビス挿通孔１３，２３を用いて図１で説明した枠体３０にビス止めされる。そこで、図１に示したように、枠体３０には、一方側ファン１０に対して２つの取付部３２，３３が備わり、他方側ファン２０に対しても２つの取付部３４，３５が備わっている。
【００２６】
図１のように、この実施形態において、一方側ファン１０に対する２つの取付部３２，３３が第１可動枠７０と下部桁６２とに個別に設けられているのに対し、他方側ファン２０に対する２つの取付部３４，３５が第２可動枠８０と上部桁５２とに個別に設けられている。このため、上記したように第１可動枠７０と第２可動枠８０とを図１矢印Ａのように相対的に上下にスライドさせることによって一方側ファン１０に対する２つの取付部３２，３３の垂直間隔を増減調節して図４に示した対角方向に位置する上下２つの取付けビス挿通孔１３（２２）の縦間隔Ｈに合わせることが可能である。また、下部筒体６２を２つの上部桁５１，５１に対しスライドさせることにより、一方側ファン１０に対する２つの取付部３２，３３の水平間隔を増減調節して図４に示した対角方向に位置する上下２つの取付けビス挿通孔１３，２２の横間隔Ｗに合わせることが可能である。これと同様にして、他方側ファン２０に対する２つの取付部３４，３５の垂直間隔や水平間隔を図４に示した対角方向に位置する上下２つの取付けビス挿通孔１３，２２の縦間隔Ｈや横間隔Ｗに合わせることが可能である。なお、図２には、このようにした位置調節を行った取付部３４にファンフレーム２２を取付けビス２４を用いて取り付けた状態を示してある。
【００２７】
さらに、この実施形態では、第２可動枠８０の左右の下端部に台座部９０，９０を一体に設け、この台座部９０，９０をプロジェクタの固定ベース（不図示）にビス止めなどの適宜手段で取り付けるようにしてある。この台座部９０，９０は、第２可動枠８０の左右の下端部から第１可動枠７０の後側にまで延び出ていて、第１可動枠７０の後側に取り付けられた２つのファン１０，２０の重量が主にこの台座部９０，９０によって受け止められるようになっている。このため、２つのファン１０，２０の重量が台座部９０，９０によって主に受け止められ、枠体３０に前倒れ荷重や後倒れ荷重が加わりにくくなってファンユニットの設置状態が安定するという作用が発揮される。
【００２８】
図１に示した２つのファン１０，２０は、一方側ファン１０がプロジェクタの光源ランプ設置室１（図５参照）に臨む光源冷却用ファンとして振分けられ、他方側ファン２０が制御基板設置室２（図５参照）に臨む基板冷却用ファンとして振り分けられる。
【００２９】
この実施形態において、上部筒体５２は、２つの上部桁５１，５１に対して変位可能でそれらを接近離反自在に連結する上部連結具の一例であり、下部筒体６２は、２つの下部桁６１，６１に対して変位可能でそれらを接近離反自在に連結する下部連結具の一例である。
【図面の簡単な説明】
【００３０】
【図１】本発明の実施形態に係るプロジェクタ用ファンユニットの概略斜視図である。
【図２】同ファンユニットの要部の平面図である。
【図３】同ファンユニットの他の要部の平面図である。
【図４】ファンフレームの正面図である。
【図５】比較例としてのプロジェクタの設置箇所を示した概略平面図である。
【符号の説明】
【００３１】
１０，２０  ファン
１１，２１  ファン本体
１２，２２  ファンフレーム
３０  枠体
３１  通風口
３２，３３，３４，３５  取付部
４０  縦長部材
５０  上部横長部材
５１  上部桁
５２  上部筒体（上部連結具）
６０  下部横長部材
６１  下部桁
６２  下部筒体（下部連結具）
７０  第１可動枠
７２  凹条
７３  ガイド部
８０  第２可動枠
８２  凸条
９０  台座部
【図１】
2006301224.tif 000003
【図２】
2006301224.tif 000004
【図３】
2006301224.tif 000005
【図４】
2006301224.tif 000006
【図５】
2006301224.tif 000007